(57)【要約】      （修正有）【課題】基板に固定する際の作業性の向上を図ったコネクタを提供する。【解決手段】コネクタ１は、導電性の基板に固定されるものであり、接地用端子３と、接地用端子を収容するための端子収容室４０を有するハウジング４と、を備え、接地用端子は、端子収容室に収容して支持される端子本体３１と、端子収容室から突出して設けられて端子本体を基板にボルト固定するための第１固定部３３と、を有し、ハウジングは、端子収容室を含むハウジング本体４１と、ハウジング本体を基板にボルト固定するための第２固定部４６と、を有している。【選択図】図１
0003224639.tif 000002
【実用新案登録請求の範囲】
【請求項１】
導電性の基板に固定されるコネクタであって、
接地用端子と、該接地用端子を収容するための端子収容室を有するハウジングと、を備え、
前記接地用端子は、前記端子収容室に収容して支持される端子本体と、前記端子収容室から突出して設けられて前記端子本体を前記基板にボルト固定して接地するための第１固定部と、を有し、
前記ハウジングは、前記端子収容室を含むハウジング本体と、該ハウジング本体を前記基板にボルト固定するための第２固定部と、を有していることを特徴とするコネクタ。
【請求項２】
前記端子本体と前記第１固定部との間には、前記基板に向けて折れ曲がった屈曲部が設けられ、
前記ハウジング本体には、該ハウジング本体が前記第２固定部の孔部に挿入されたボルトを軸として回転した際に、前記屈曲部に当接可能な第１当接部が設けられていることを特徴とする請求項１に記載のコネクタ。
【請求項３】
前記第１当接部は、前記端子収容室の開口部を構成する端縁であり、
前記ハウジング本体は、前記端縁に隣接する位置から板状に突出する第２当接部を有し、
前記ハウジング本体が前記第２固定部の孔部に挿入されたボルトを軸として回転した際に、前記第２当接部が、前記第１固定部の周縁に当接可能に設けられていることを特徴とする請求項２に記載のコネクタ。
【考案の詳細な説明】
【技術分野】
【０００１】
本考案は、コネクタに関する。
【背景技術】
【０００２】
従来、天井直付け型の照明装置が知られている（例えば、特許文献１参照）。特許文献１に開示された照明装置は、天井に直付けされる器具本体と、該器具本体に着脱自在に設けられる光源ユニットと、を備えている。光源ユニットは、複数のＬＥＤと、該複数のＬＥＤに電力を供給するための電源装置と、を備えている。
【０００３】
電源装置は、器具本体から引き出された電源線に接続される器具側コネクタと、器具側コネクタに接続されてＬＥＤに電力を供給するＬＥＤ側コネクタと、これらコネクタが実装されてこれらコネクタ同士を電気的に接続する基板と、を有している。
【０００４】
ＬＥＤ側コネクタは、所謂プラグであって、コネクタ本体と、２本の電源端子と、１本のアース端子と、アース端子と一体に形成されて基板にボルト固定されるアース端子固定部と、を有している。このようなＬＥＤ側コネクタは、まず、アース端子固定部を基板にボルト固定した後、電源端子、アース端子に金型を被せ、金型内に樹脂を注入することでコネクタ本体を成形しつつ、当該コネクタ本体を基板に固定するようになっている。
【先行技術文献】
【特許文献】
【０００５】
【特許文献１】特開２０１６−４６１０１号公報
【考案の概要】
【考案が解決しようとする課題】
【０００６】
しかしながら従来の照明装置では、コネクタ本体を基板に固定する際、樹脂を硬化させるための時間がかかってしまう。そこで、予め成形されたコネクタ本体を基板にボルト固定することも考えられるが、アース端子固定部の基板へのボルト固定に加えて、さらに、回転規制のために２箇所以上、コネクタ本体を基板にボルト固定する必要があり、コネクタ本体（コネクタ）を基板に固定する際の作業性が悪かった。
【０００７】
本考案は、基板に固定する際の作業性の向上を図ったコネクタを提供することを目的とする。
【課題を解決するための手段】
【０００８】
前記課題を解決し目的を達成するために、請求項１に記載された考案は、導電性の基板に固定されるコネクタであって、接地用端子と、該接地用端子を収容するための端子収容室を有するハウジングと、を備え、前記接地用端子は、前記端子収容室に収容して支持される端子本体と、前記端子収容室から突出して設けられて前記端子本体を前記基板にボルト固定して接地するための第１固定部と、を有し、前記ハウジングは、前記端子収容室を含むハウジング本体と、該ハウジング本体を前記基板にボルト固定するための第２固定部と、を有していることを特徴とするコネクタである。
【０００９】
請求項２に記載された考案は、請求項１に記載の考案において、前記端子本体と前記第１固定部との間には、前記基板に向けて折れ曲がった屈曲部が設けられ、前記ハウジング本体には、該ハウジング本体が前記第２固定部の孔部に挿入されたボルトを軸として回転した際に、前記屈曲部に当接可能な第１当接部が設けられていることを特徴とするものである。
【００１０】
請求項３に記載された考案は、請求項２に記載の考案において、前記第１当接部は、前記端子収容室の開口部を構成する端縁であり、前記端縁に隣接する位置から板状に突出する第２当接部を有し、前記ハウジング本体には、該ハウジング本体が前記第２固定部の孔部に挿入されたボルトを軸として回転した際に、前記第２当接部が、前記第１固定部の周縁に当接可能に設けられていることを特徴とするものである。
【考案の効果】
【００１１】
請求項１に記載の考案によれば、接地用端子と、ハウジングと、を備え、接地用端子は、端子収容室に収容して支持される端子本体と、端子収容室から突出して設けられて端子本体を基板にボルト固定して接地するための第１固定部と、を有し、ハウジングは、端子収容室を含むハウジング本体と、該ハウジング本体を基板にボルト固定するための第２固定部と、を有している。即ち、接地用端子は、端子本体が端子収容室に収容されることでハウジング本体に支持されつつ、第１固定部によって基板に接地して固定される。これによれば、ハウジングに２か所の固定部を設けずとも、ハウジングは、ハウジング本体に支持された端子の第１固定部を介して、第２固定部を含む２か所で、基板に回転規制されつつ固定される。このように、コネクタの基板への固定を、第１固定部及び第２固定部をそれぞれ基板にボルト固定することで行うことができるとともに、ボルト固定すると同時に基板に接地接続することができるから、コネクタを基板に固定する際の作業性の向上を図ることができる。
【図面の簡単な説明】
【００１２】
【図１】本考案の一実施の形態に係るコネクタを示す分解斜視図である。
【図２】前記コネクタを示す上面図である。
【図３】図２中のＩ−Ｉ線に沿う断面図である。
【考案を実施するための形態】
【００１３】
以下、本考案の実施形態を図１〜３に基づいて説明する。図１は、本考案の一実施の形態に係るコネクタを示す分解斜視図である。本実施形態に係るコネクタとしての光源側コネクタ１は、照明器具の一部を構成する。この光源側コネクタ１は、図２に示すように、導電性かつ長方形板状の機器体１０（基板）に固定され、かつ設備側コネクタ１１に嵌合されて、不図示の光源に電力を供給する。
【００１４】
なお、図１等に示すように、Ｘ方向、Ｙ方向、Ｚ方向は互いに直交する方向を示している。また、図２、３に示すように、板状の機器体１０は、Ｙ方向が長辺となり、Ｘ方向が短辺となり、Ｚ方向が板厚方向となるように設けられている。機器体１０のＺ方向の一方を「上方」と記し、他方を「下方」と記す場合がある。また、光源側コネクタ１と設備側コネクタ１１とはＹ方向に嵌合するように設けられている。両コネクタ１、１１の嵌合方向（Ｙ方向）の一方を「前方」と記し、他方を「後方」と記す場合がある。光源側コネクタ１に対して設備側コネクタ１１は「前方」に位置し、設備側コネクタ１１は後方（Ｙ１方向）に移動して、光源側コネクタ１に嵌合するようになっている。
【００１５】
光源側コネクタ１は、図１に示すように、一対の電源用端子２、２と、接地用端子３と、これらの端子２、２、３それぞれを収容するための端子収容室４０を有するハウジング４と、を備えている。
【００１６】
一対の電源用端子２、２は、図１に示すように、それぞれ光源側電源線２０の端末に接続されるとともに、後述する設備側コネクタ１１を構成する一対の電源用相手端子１２、１２それぞれに接続されて、光源に電力を供給する。
【００１７】
接地用端子３は、略長方形板状の金属板にプレス加工や曲げ加工が施されて形成されたものである。接地用端子３は、図１、３に示すように、端子本体３１と、屈曲部３２と、機器体１０に対してボルト固定される第１固定部３３と、を一体に有して構成されている。接地用端子３は、端子本体３１と屈曲部３２との境界部３Ａで略直角に曲げられ、屈曲部３２と第１固定部３３との境界部３Ｂで略直角に曲げられてクランク状となるように形成されている。即ち、端子本体３１及び第１固定部３３は、機器体１０の上面に対向するように、ＸＹ方向に延在して設けられ、屈曲部３２は、端子本体３１及び第１固定部３３に直交するように、ＺＸ方向に延在して設けられている。
【００１８】
端子本体３１は、図３に示すように、屈曲部３２に連続される連続部分３４と、該連続部分３４に連続されて設備側コネクタ１１を構成するアース用端子１３に挿入接続される挿入子３５と、連続部分３４と挿入子３５の境界から切り起されて形成された抜止め突起３６と、を有して構成されている。この抜止め突起３６は、挿入子３５がハウジング４の端子収容室４０に後方からＹ２方向に挿入された際に、ハウジング４の後述するランス４７ａに係止されるようになっている。
【００１９】
第１固定部３３は、図２に示すように、機器体１０の上面に対向しかつ接触可能なように構成されている。第１固定部３３は、図１、２に示すように、外形が矩形板状に形成され、中央部にボルトＢ１（図２に示す）が挿入されるボルト孔３３ａ（図１に示す）が形成されている。第１固定部３３が機器体１０にボルト固定されることで、接地用端子３は機器体１０に機械的及び電気的に接続される。また、第１固定部３３は、図２に示すように、接地用端子３が端子収容室４０に収容された際、Ｘ方向の一端側の周縁３３Ａが、ハウジング４の後述する第２当接部４９に接触可能な位置に設けられている。
【００２０】
ハウジング４は、図１に示すように、端子収容室４０を有するハウジング本体４１と、機器体１０にボルト固定される第２固定部４６と、を一体に有して構成されている。
【００２１】
ハウジング本体４１は、図１に示すように、角筒状に形成されている。このハウジング本体４１は、設備側コネクタ１１の相手嵌合部５１に嵌合される嵌合部４２と、該嵌合部４２の後方に設けられて各端子２、２、３を挿入可能な第１、第２、第３筒状部４３、４４、４５と、を有している。第１、第２筒状部４３、４４には、一対の電源用端子２、２それぞれが挿入され、第３筒状部４５には、接地用端子３が挿入される。
【００２２】
このハウジング本体４１は、図１に示すように、嵌合部４２に前方から相手嵌合部５１が嵌合され、各筒状部４３、４４、４５に各端子２、２、３が後方から挿入されるようになっている。ハウジング本体４１にあって、第１筒状部４３を含んで嵌合部４２に連続される空間、第２筒状部４４を含んで嵌合部４２に連続される空間、及び第３筒状部４５を含んで嵌合部４２に連続される空間は、それぞれ端子収容室４０を構成する。各端子収容室４０は、それぞれＹ方向に直線状に連続して設けられ、かつＸ方向に並んで設けられている。
【００２３】
嵌合部４２は、図１、３に示すように、相手嵌合部５１を挿入可能な角筒状に形成されている。嵌合部４２は、図１に示すように、相手嵌合部５１が挿入嵌合された際に、相手嵌合部５１の後述するロック部５２によって、嵌合部４２と相手嵌合部５１の嵌合状態が維持されるようになっている。
【００２４】
第１、第２、第３筒状部４３、４４、４５は、図１、２に示すように、Ｘ方向に並んで設けられている。第３筒状部４５は、ハウジング本体４１の矢印Ｘ方向の一端部に設けられている。
【００２５】
第３筒状部４５は、図１、３に示すように、嵌合部４２から後方に延びて形成された角筒状の筒本体４７と、筒本体４７の前端（嵌合部４２と第３筒状部４５との境界部）に設けられて挿入子３５を挿入支持する入り口壁４８と、筒本体４７からＹ１方向に板状に突出して設けられて、接地用端子３の第１固定部３３の周縁３３Ａに接触可能な第２当接部４９と、を有している。
【００２６】
筒本体４７には、図３に示すように、その内面から前方に延びて形成されて接地用端子３の抜止め突起３６を係止するランス４７ａが設けられている。入り口壁４８には、挿入子３５のみを挿入可能な挿入孔４８ａが設けられている。この入り口壁４８の挿入孔４８ａに、挿入子３５がＹ２方向に挿入された際に、抜止め突起３６がハウジング４のランス４７ａに係止されてＹ１方向への移動が規制される。これにより、接地用端子３が端子収容室４０から抜け出すことが規制されて、接地用端子３は端子収容室４０に支持される。
【００２７】
この筒本体４７における後方（Ｙ１方向）側の開口部４７０は、内部と外部が連通するように構成されている。この開口部４７０の下端縁４７Ａ（端縁、以下、第１当接部４７Ａと記す場合がある）は、接地用端子３の挿入子３５が、第３筒状部４５の挿入孔４８ａに挿入された際に、接地用端子３の屈曲部３２に接触可能な位置に設けられている。第２当接部４９は、開口部４７０の下端縁４７Ａに隣接する位置から板状に突出して設けられ、挿入子３５が、第３筒状部４５の挿入孔４８ａに挿入された際に、接地用端子３の第１固定部３３の周縁３３Ａに接触可能な位置に設けられている。
【００２８】
第２固定部４６は、図２に示すように、嵌合部４２の後端に連続して設けられ、かつ第１、第２筒状部４３、４４を挟んで第３筒状部４５から離れた端部に設けられている。即ち、第２固定部４６は、第１固定部３３の前方側かつＸ方向の他端側に設けられている。第２固定部４６は、外形が矩形板状に形成され、中央部にボルトＢ２が挿入されるボルト孔４６ａ（孔部）が形成されている。
【００２９】
設備側コネクタ１１は、図１に示すように、一対の電源用相手端子１２、１２と、アース端子１３と、これらの端子１２、１２、１３それぞれを収容する相手ハウジング５と、を備えている。一対の電源用相手端子１２、１２は、それぞれ設備側電源線６、６の端末に接続され、アース端子１３は、アース電線７の端末に接続される。
【００３０】
相手ハウジング５は、角筒状に形成されている。この相手ハウジング５は、光源側コネクタ１の嵌合部４２に嵌合可能な相手嵌合部５１と、相手嵌合部５１と嵌合部４２との嵌合状態を維持するためのロック部５２と、を有している。
【００３１】
次に、光源側コネクタ１を機器体１０に固定する際の手順を、図１を参照して説明する。一対の電源用端子２、２は、各光源側電源線２０の端末に予め接続されている。
【００３２】
一対の電源用端子２、２を、それぞれ、端子収容室４０に挿入して収容する。次に、ハウジング４の第２固定部４６を機器体１０の所定位置に設置し、そのボルト孔４６ａにボルトＢ２を挿入して螺合する。こうして、第２固定部４６を機器体１０に固定する。
【００３３】
この後、接地用端子３の端子本体３１を第３筒状部４５に挿入する。これにより、挿入子３５が、入り口壁４８の挿入孔４８ａに挿入されて、抜止め突起３６がハウジング４のランス４７ａに係止される。そして、接地用端子３が端子収容室４０から抜け出すことが規制されて、接地用端子３は端子収容室４０に支持される。
【００３４】
続いて、接地用端子３における１固定部３３のボルト孔３３ａに、ボルトＢ１を挿入して螺合する。こうして、第１固定部３３を機器体１０に固定する。これにより、接地用端子３は、機器体１０に機械的及び電気的に接続される。この際、接地用端子３の屈曲部３２は、筒本体４７の後方（Ｙ１方向）側の開口部４７０を構成する後端縁としての第１当接部４７Ａに接触可能な位置にあり、第１固定部３３の周縁４７Ａは、第２当接部４９に接触可能な位置にある。これによれば、ハウジング本体４１に第２固定部４６のボルトＢ２を中心として回転するような力が作用した際に、第１当接部４７Ａが屈曲部３２に当接し、第２当接部４９が第１固定部３３の周縁３３Ａに当接することで、ハウジング本体４１の回転が規制される。こうして、ハウジング４は、ハウジング本体４１に支持された接地用端子３の第１固定部３３を介して、第２固定部４６を含む２か所で、機器体１０に回転規制されつつ固定される。
【００３５】
続いて、光源側コネクタ１に設置側コネクタ１１を嵌合する際の手順を説明する。一対の電源用相手端子１２、１２は設備側電源線の端末に予め接続され、アース端子１３はアース電線の端末に予め接続されている。光源側コネクタ１の嵌合部４２に、設置側コネクタ１１の相手嵌合部５１を前方から近づけて挿入する。これにより、一対の電源用端子２、２は、それぞれ一対の電源用相手端子１２、１２に接続され、接地用端子３は、アース端子１３に接続されて、これらの嵌合部４２、５１が嵌合する。設備側コネクタ１１の相手嵌合部５１のロック部５２が嵌合部４２をロックして、嵌合部４２と相手嵌合部５１との嵌合状態が維持される。こうして、各設備側電源線６から、各電源用相手端子１２及び各電源用端子２を介して、各光源側電源線２０に接続された光源に電力が供給される。また、アース電線７が、アース端子１３及び接地用端子３を介して機器体１０に接地接続される。
【００３６】
上述した構成の光源側コネクタ１（コネクタ）によれば、接地用端子３は、端子本体３１が端子収容室４０に収容されることでハウジング本体４１に支持されつつ、第１固定部３３によって機器体１０（基板）に固定される。このように、ハウジング４に２か所の固定部を設けずとも、ハウジング４は、ハウジング本体４１に支持された接地用端子３の第１固定部３３を介して、第２固定部４６を含む２か所で、機器体１０に回転規制されつつ固定される。これによれば、コネクタ１の機器体１０への固定を、第１固定部３３及び第２固定部４６をそれぞれ機器体１０にボルト固定することで行うことができるとともに、ボルト固定すると同時に機器体１０に接地接続することができる。よって、光源側コネクタ１を機器体１０に固定する際の作業性の向上を図ることができる。また、機器体１０にアース用電線の配線が不要とされ、アース用電線を機器体１０に接続するための接続工数が削減される。
【００３７】
また、端子本体３１と第１固定部３３との間には、機器体１０（基板）に向けて折れ曲がった屈曲部３２が設けられ、ハウジング本体４１には、該ハウジング本体４１が第２固定部４６のボルト孔４６ａに挿入されたボルトＢ２を軸として回転した際に、屈曲部３２に当接可能な第１当接部４７Ａが設けられている。これによれば、屈曲部３２が設けられていることで、接地用端子３のＹ方向の小型化を図りつつ、ハウジング本体４１に、第２固定部４６のボルトＢ２を中心として回転する力が作用した際に、第１当接部４７Ａが屈曲部３２に当接することで、ハウジング本体４１の回転を規制することができる。
【００３８】
また、ハウジング本体４２は、端縁４７Ａに隣接する位置から板状に突出する第２当接部４９を有し、ハウジング本体４２が第２固定部４６のボルト孔４６ａ（孔部）に挿入されたボルトＢ２を軸として回転した際に、第２当接部４９が、第１固定部３３の周縁３３Ａに当接可能に設けられている。これによれは、ハウジング本体４１に第２固定部４６のボルトＢ２を中心として回転するような力が作用した際に、第２当接部４９が、第１固定部３３の周縁３３Ａに当接されることで、ハウジング本体４１の回転を規制することができる。また、第１当接部４７Ａ及び第２当接部４９が、隣接（近接）する位置に設けられていることで、接地用端子３に作用する力を、Ｘ方向及びＹ方向に分散させることができる。
【００３９】
その他、本考案を実施するための最良の構成、方法などは、以上の記載で開示されているが、本考案は、これに限定されるものではない。すなわち、本考案は、主に特定の実施形態に関して特に図示され、且つ、説明されているが、本考案の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本考案の理解を容易にするために例示的に記載したものであり、本考案を限定するものではないから、それらの形状、材質などの限定の一部、もしくは全部の限定を外した部材の名称での記載は、本考案に含まれるものである。
【符号の説明】
【００４０】
１            光源側コネクタ（コネクタ）
１０          機器体（基板）
３            接地用端子
３１          端子本体
３２          屈曲部
３３          第１固定部
３３Ａ        第１固定部の周縁
４            ハウジング
４０          端子収容室
４１          ハウジング本体
４６          第２固定部
４６ａ        ボルト孔（孔部）
４７Ａ        第１当接部、端子収容室の開口部を構成する端縁
４９          第２当接部
Ｂ２          ボルト
【図１】
0003224639.tif 000003
【図２】
0003224639.tif 000004
【図３】
0003224639.tif 000005